(57)【要約】【課題】乾燥中の記録媒体の搬送が緊急停止しても、当該記録媒体における異常の発生を防止する乾燥装置を提供する。【解決手段】被搬送部材を搬送する搬送手段と、被搬送部材を加熱する複数の加熱手段と、被搬送部材を挟んで加熱手段に対向する位置に配置される冷却手段と、被搬送部材の搬送停止を検知する搬送検知手段と、を備え、搬送手段は、被搬送部材を冷却手段に接触させる位置と当該冷却手段から離間する位置のいずれかで保持するように当該被搬送部材の保持位置を変化させ、被搬送部材の搬送を停止したときは、冷却手段に当該被搬送部材を接触させる位置に移動する、乾燥装置による。【選択図】図２
2019162767.tif 000002
【特許請求の範囲】
【請求項１】
液体が付与される被搬送部材を搬送しながら乾燥させる乾燥装置であって、
前記被搬送部材を搬送する搬送手段と、
前記被搬送部材を加熱する複数の加熱手段と、
前記被搬送部材を挟んで前記加熱手段に対向する位置に配置される冷却手段と、
前記搬送手段による前記被搬送部材の搬送停止を検知する搬送検知手段と、
を備え、
前記搬送手段は、前記被搬送部材を前記冷却手段に接触させる位置と当該冷却手段から離間する位置のいずれかで保持するように当該被搬送部材の保持位置を変化させ、前記被搬送部材の搬送を停止したときは、前記冷却手段に当該被搬送部材を接触させる位置に移動する、
ことを特徴とする乾燥装置。
【請求項２】
前記被搬送部材に対して搬送方向に付与されるテンションを調整するテンション調整手段をさらに有し、
前記テンション調整手段は、前記搬送検知手段が前記搬送手段の動作停止を検知したときは前記被搬送部材が前記冷却手段に密着するように前記テンションを付与する、
請求項１に記載の乾燥装置。
【請求項３】
前記冷却手段は、前記被搬送部材への接触面が円弧状である、
請求項１または２に記載の乾燥装置。
【請求項４】
前記搬送手段は、前記加熱手段と前記冷却手段の間を前記被搬送部材が通過するように当該被搬送部材を保持する一対の駆動モータであって、
前記駆動モータは、前記被搬送部材の搬送中は当該被搬送部材が前記冷却手段に接しない位置で動作し、動作停止中は前記被搬送部材が前記冷却手段に接触する位置になるように動作する、
請求項１乃至３のいずれか一項に記載の乾燥装置。
【請求項５】
前記加熱手段は、前記被搬送部材に対して非接触で加熱する、
請求項１乃至４のいずれか一項に記載の乾燥装置。
【請求項６】
前記加熱手段は、水の吸収波長帯域内において極大波長を有する赤外線により前記被搬送部材を加熱する、
請求項１乃至５のいずれか一項に記載の乾燥装置。
【請求項７】
前記加熱手段は、前記赤外線による熱を前記被搬送部材に吹き付ける風を発生させる風発生手段を備える、
請求項６記載の乾燥装置。
【請求項８】
前記加熱手段とは加熱方式が異なる接触式加熱手段とさらに備え、
当該接触式加熱手段は、前記加熱手段が前記被搬送部材に加熱する側の反対側に接触する曲面形状の接触面を有する加熱ドラムと加熱ローラとから構成され、
前記加熱ローラは、前記加熱ドラムの周囲と囲むように円弧状に配置されている、
請求項１乃至７のいずれか一項に記載の乾燥装置。
【請求項９】
被搬送部材に対して画像を形成する画像形成装置であって、
前記被搬送部材における画像形成面にインク液を付与するインク液付与手段と、
前記インク液を乾燥させる乾燥手段と、
を備え、
前記乾燥手段は、請求項１乃至８のいずれか一項に記載の乾燥装置である、
ことを特徴とする画像形成装置。
【発明の詳細な説明】
【技術分野】
【０００１】
本発明は、乾燥装置および画像形成装置に関する。
【背景技術】
【０００２】
連続するシート状の媒体にインク液を付与して画像を形成する画像形成装置において、当該媒体に付与されたインク液の乾燥を促進する乾燥装置を備えるものが知られている。
【０００３】
上記の乾燥装置に適用可能な乾燥方式として、ローラ内部に発熱源であるハロゲンランプを内蔵した加熱ローラを記録媒体に接触させる加熱ローラ方式や記録媒体に赤外線ヒータから発生される熱を与えることで乾燥させる赤外線ヒータ加熱方式、および温風による対流熱伝達方式が知られている。
【０００４】
近年、画像形成プロセスにおける高画質化により、媒体に付与されるインク液の量が増加する傾向にある。しかも、画像形成プロセスの生産性を高める要求もある。インク液量の増加と画像形成プロセスの生産性向上の両者に応えるには、媒体に付与されたインク液を素早く乾燥させる必要がある。そのための乾燥装置において、赤外線ヒータ加熱による輻射方式を用いた乾燥方法が用いられることがある（例えば、特許文献１を参照）。
【発明の概要】
【発明が解決しようとする課題】
【０００５】
特許文献１に開示されている乾燥方法は、媒体の搬送が異常停止したとき、赤外線ヒータの動作を停止させたとしても媒体への加熱は一定時間継続する。媒体への加熱が局所的に継続すると、その加熱されている箇所において「媒体の異常」が生ずる。ここで「媒体の異常」とは、媒体が焦げて色が黄色に変色する「黄変」、媒体からの発火、などを生ずる状態を意味する。すなわち、従来の乾燥装置では、媒体の搬送が緊急停止したときに「媒体の異常」の発生を防止する、という点において課題がある。
【０００６】
本発明は、乾燥中の記録媒体の搬送が緊急停止しても、当該記録媒体における異常の発生を防止する乾燥装置を提供することを目的とする。
【課題を解決するための手段】
【０００７】
上記課題を解決するための本発明は、液体が付与される被搬送部材を搬送しながら乾燥させる乾燥装置であって、前記被搬送部材を搬送する搬送手段と、前記被搬送部材を加熱する複数の加熱手段と、前記被搬送部材を挟んで前記加熱手段に対向する位置に配置される冷却手段と、前記搬送手段による前記被搬送部材の搬送停止を検知する搬送検知手段と、を備え、前記搬送手段は、前記被搬送部材を前記冷却手段に接触させる位置と当該冷却手段から離間する位置のいずれかで保持するように当該被搬送部材の保持位置を変化させ、前記被搬送部材の搬送を停止したときは、前記冷却手段に当該被搬送部材を接触させる位置に移動する、ことを特徴とする。
【発明の効果】
【０００８】
本発明によれば、乾燥中の記録媒体の搬送が緊急停止しても、当該記録媒体における異常の発生を防止することができる。
【図面の簡単な説明】
【０００９】
【図１】本発明の一実施形態に係るインクジェット記録装置の概略構成図。
【図２】本発明の一実施形態に係る乾燥部の概略構成図。
【図３】同上の乾燥部が備える非接触式加熱手段の構成を示す図。
【図４】同上の乾燥部の媒体搬送時の状態を例示する図。
【図５】同上の乾燥部の緊急停止時の状態を例示する図。
【図６】同上の乾燥部が備える制御部のハードウェア構成を示す図。
【図７】同上の乾燥部が備える制御部の機能構成を示す図。
【図８】同上の乾燥部における処理の流れの例を示すフローチャート。
【図９】本発明の別の実施形態に係る乾燥部の機能構成路示す図。
【図１０】本発明の別の実施形態に係る乾燥部の緊急停止時の動作を例示する図。
【図１１】本発明の別の実施形態に係る乾燥部における処理の流れの例を示すフローチャート。
【発明を実施するための形態】
【００１０】
本発明に係る乾燥装置は、媒体の搬送中に搬送動作が緊急停止したとき、媒体に付与されている液体を乾燥させるために当該媒体を加熱する加熱手段の近傍に停止した記録媒体に生ずる異常を防止すること要旨の一つとする。具体的には、媒体の搬送が緊急停止し、加熱手段（熱源）の直下で留まることになる媒体の一部において、加熱が継続しても温度上昇を抑えることができる構造を備える。また、本発明に係る画像形成装置は、上記の特徴を備える乾燥装置を備えることを発明の要旨の一つとする。
【００１１】
以下、本発明に係る乾燥装置および画像形成装置の実施形態について図面を参照しながら説明をする。図１は、本発明に係る画像形成装置の実施形態であるインクジェット記録装置１００の構成を概略的に示す図である。インクジェット記録装置１００は、連続するシート状の部材を記録媒体とし、この記録媒体に画像形成を行う装置である。記録媒体は、インクジェット記録装置１００の内部に形成されている搬送路で搬送される被搬送部材である。当該被搬送部材は、インク液が付与されて搬送されるものであって、本実施形態では連帳紙を例にし、これを連続紙２と表記して説明する。インクジェット記録装置１００は、連続紙２に対してインク液を吐出する液体吐出ヘッド３を備える画像形成部３０を有する。
【００１２】
画像形成部３０は、インク液付与手段としての複数の液体吐出ヘッド３を備え、連続紙２の搬送方向の上流側から４つの色の各色のインク液とインク滴として吐出するように、液体吐出ヘッド３ＡＫ、３ＢＣ、３ＣＭ、３ＤＹが配置されている。液体吐出ヘッド３ＡＫは黒のインク滴を吐出し、３ＢＣはシアンのインク滴を、３ＣＭはマゼンタのインク滴を、３ＤＹはイエローのインク滴を、それぞれ個別に吐出する。なお、色の種類及び数はこれに限るものではない。また、図１に示すように、液体吐出ヘッド３は、連続紙２の搬送方向の上流から下流に向かって、黒、シアン、マゼンタ、イエローのインク滴が吐出する順として並んでいるが、順番もこれに限るものではない。画像形成部３０は、外部装置からの画像形成指示に基づいて液体吐出ヘッド３のそれぞれの動作を制御する制御装置を備える。画像形成部３０の制御装置は、画像形成指示に基づいて適時に適量のインク液を吐出するように動作をし、連続紙２に画像を形成させる。
【００１３】
被搬送部材である連続紙２は、元巻きローラ２０２から巻き出され、搬送部４０の搬送ローラ４１によって、画像形成部３０に対向して配置された搬送ガイド部材４２の上に送り出される。連続紙２は、搬送ガイド部材４２により搬送方向へ案内されるようになっている。画像形成部３０の制御装置は、連続紙２が搬送ガイド部材４２を通過するときにインク滴を吐出するように制御する。画像形成部３０において画像が形成された連続紙２は、本発明に係る乾燥装置の実施形態である乾燥部５０を経て、排出ローラ６によって送り出されて、巻取りローラ２０５によって巻き取られる。連続紙２は、搬送部４０が備える搬送ローラ４１の回転駆動により、所定の方向に搬送される。
【００１４】
次に、本実施形態に係る乾燥部５０の詳細な構成について、図２を用いて説明する。乾燥部５０は、非接触式加熱部７０と接触式加熱部８０、およびテンション付与部９０と、を備える。また、乾燥部５０は、非接触式加熱部７０の動作を制御する制御部５００を備える。乾燥部５０は、加熱方式が異なる複数の加熱手段を備える乾燥手段を構成する。
【００１５】
非接触式加熱部７０は、第一駆動ローラ７１ａと第二駆動ローラ７１ｂから構成される駆動ローラ７１を備える非接触式加熱手段である。以下の説明において、第一駆動ローラ７１ａと第二駆動ローラ７１ｂを区別する必要がないときは、まとめて駆動ローラ７１と表記する。画像形成部３０において画像が形成された連続紙２は、非接触式加熱部７０において、画像形成面側の乾燥が行われ、その後、接触式加熱部８０において、画像形成面の裏面側から加熱によりさらなる乾燥が行われる。非接触式加熱部７０の詳細な構造等については後述する。
【００１６】
接触式加熱部８０は、加熱ドラム８３と、複数の加熱ローラ８１（８１ａ、８１ｂ、８１ｃ、８１ｄ、８１ｅ、８１ｆ、８１ｇ）と、加熱ローラ８１に対向する位置に配置される複数の温風吹付部８２（８２ａ、８２ｂ、８２ｃ、８２ｄ、８２ｅ、８２ｆ、８２ｇ）と、を備える接触式加熱手段である。
【００１７】
加熱ローラ８１は、加熱ドラム８３の周囲に、加熱ドラム８３を囲むように円弧状に配置されている。この加熱ローラ８１によって、連続紙２は加熱ドラム８３の外周部分において円弧を描きながら搬送される。加熱ローラ８１および加熱ドラム８３は、連続紙２の画像が形成された面の反対側の面に接触する。加熱ローラ８１は、連続紙２の裏面側が接触する所定の曲率面を有し、連続紙２の媒体搬送方向と直交する方向である加熱ローラ８１の軸方向の全域において、連続紙２が曲率面に密着するよう配置されている。
【００１８】
加熱ローラ８１は、ハロゲンランプなどのヒータランプを備えていて、接触式加熱部８０の制御装置により、温度が制御される。なお、加熱ドラム８３の周囲に配置されている全ての加熱ローラ８１がヒータランプを備える必要はなく、少なくとも一つの加熱ローラ８１がヒータランプを備えればよい。
【００１９】
加熱ドラム８３は、加熱ローラ８１とは異なる温度制御がされる接触式加熱手段の一つである。加熱ドラム８３は、乾燥部５０の内部を搬送される連続紙２の搬送速度を、一定に保つように制御される。連続紙２の画像形成面のインク滴の乾燥は、非接触式加熱部７０、加熱ローラ８１、加熱ドラム８３からの加熱によって行われる。これら複数の加熱手段によって、まず、インク滴の水分が乾燥され、その後、インクに混ざっている溶剤などのうち、揮発しにくいものが乾燥されて、さらに、溶剤のうち揮発しやすいものを乾燥するように構成されている。したがって、非接触式加熱部７０と接触式加熱部８０の各加熱手段の温度は、別々の温度になるように制御されている。
【００２０】
接触式加熱部８０を通過した連続紙２は、画像形成面が初めてローラに触れることになる「ファーストタッチローラ」としても案内ローラ６１，６２，６３を介してテンション付与部９０へと案内される。
【００２１】
テンション付与部９０は、テンション調整手段としての、複数のアイドルローラ９１と、テンション調整ローラ９２と、を備えている。アイドルローラ９１は、所定の位置に固定されている。これによって、連続紙２が所定の搬送路において搬送されるように案内される。テンション調整ローラ９２は、連続紙２に対してテンションを付与するためのローラであって、連続紙２に重力方向の力を加える状態を維持している。テンション調整ローラ９２によって、搬送路にある連続紙２には所定の大きさのテンションが付与される。連続紙２が搬送状態のときは、テンション調整ローラ９２は上方に位置し、連続紙２が搬送されていないときは、テンション調整ローラ９２は下方に位置する。
【００２２】
次に、非接触式加熱部７０の構造について図３を用いて詳細に説明する。非接触式加熱部７０は、駆動ローラ７１と、輻射熱放出部７２と、搬送部材冷却部７３と、を備える。
【００２３】
駆動ローラ７１は、連続紙２の搬送方向の上流側に配置される第一駆動ローラ７１ａと、搬送方向の下流側に配置される第二駆動ローラ７１ｂと、により構成される搬送手段である。駆動ローラ７１は、搬送部４０の搬送ローラ４１により搬送される連続紙２の搬送に応じて連れ回りをするアイドラローラである。駆動ローラ７１（第一駆動ローラ７１ａと第二駆動ローラ７１ｂ）は、連続紙２の搬送動作が実行されているときは、搬送中の連続紙２を輻射熱放出部７２と搬送部材冷却部７３との間の所定の位置で保持する。これによって、連続紙２は、輻射熱放出部７２および搬送部材冷却部７３のいずれにも接触することなく、これらに対して非接触状態で保持された状態で搬送されながら、輻射熱放出部７２からの熱を受けて加熱されてインク液などが乾燥される。すなわち、乾燥部５０によれば、画像形成部３０によって連続紙２に形成された画像を乾燥工程で汚すことなく乾燥させることができる。搬送部４０の搬送ローラ４１が何らかの原因で緊急停止し、搬送部４０からの搬送信号が停止すると、連続紙２の搬送動作が緊急停止する。このとき、第一駆動ローラ７１ａと第二駆動ローラ７１ｂは共に、下降した所定の位置に移動するように制御される。駆動ローラ７１の動作（上昇および下降）は乾燥部５０が備える制御部５００よって制御される。駆動ローラ７１は連続紙２の保持位置を変化させる。
【００２４】
輻射熱放出部７２は、輻射熱を放出する赤外線ヒータランプ７２１と、放出された輻射熱を連続紙２に吹き付ける風発生部７２２と、を備えている、赤外線ヒータランプ７２１と風発生部７２２は、一対で構成されている。この輻射熱放出部７２が非接触式加熱手段を構成する。この赤外線ヒータランプ７２１と風発生部７２２の対は、連続紙２の搬送方向において複数対が配置されている。すなわち、輻射熱放出部７２からの熱は連続紙２の搬送方向の所定の長さの範囲において加えられるように構成されている。これによって、搬送中の連続紙２の画像形成面側からの乾燥を効率的に行えるようになっている。なお、赤外線ヒータランプ７２１の温度制御と、風発生部７２２が吹き付ける風の強さの制御は、制御部５００が備える制御手段が行う。
【００２５】
赤外線ヒータランプ７２１は、連続紙２に対して水の吸収波長帯域内において極大波長を有する赤外線を照射する。例えば、赤外線ヒータランプ７２１は、赤外線ヒータ３１は、２〜６μｍの帯域内に極大波長を有する赤外線を照射する。
【００２６】
風発生部７２２は、赤外線ヒータランプ７２１から放射された熱を連続紙２に対して吹き付ける風発生手段を構成する。風発生部７２２によって、連続紙２への加熱は促進される。
【００２７】
搬送部４０による連続紙２の搬送動作が緊急停止したとき、搬送部４０は制御部５００に対して搬送停止信号を通知する。制御部５００は、搬送停止信号を検知したときは駆動手段である駆動ローラ７１の動画停止を検知することになるので、赤外線ヒータランプ７２１と風発生部７２２の動作を停止する。このとき、風発生部７２２からの風の吹き付けはすぐに停止することができるが、赤外線ヒータランプ７２１は動作を停止しても（通電が止まっても）内部の熱源から放射される熱がすぐに無くなるわけではない。赤外線ヒータランプ７２１は、連続紙２の画像形成面の搬送方向の所定の長さに対応して配置されている。したがって、搬送ローラ４１の駆動モータが停止した場合、連続紙２は輻射熱放出部７２の直下の部分が特に、赤外線ヒータランプ７２１からの輻射熱によって加熱され続ける状態になる。
【００２８】
搬送部材冷却部７３は、連続紙２を挟んで輻射熱放出部７２に対向する位置に配置されている。搬送部材冷却部７３は、連続紙２が接触すると、その接触部分および周囲部分を冷却する冷却手段を構成する。搬送部材冷却部７３は、水冷または空冷によって輻射熱放出部７２からの輻射熱を受けて加熱される連続紙２よりも低い温度を維持するように、常時冷却される構造を備えている。これによって、乾燥部５０が正常に動作しているときは、非接触式加熱部７０の下部に配置されている部品が高温になることを防止することができる。
【００２９】
搬送部材冷却部７３は、例えば、放熱特性のよい金属を素材とし、連続紙２が密着できる面状の部分を備えている板状の部材からなる。搬送部材冷却部７３は、水冷の場合は、連続紙２が接触する面の裏面側に冷却媒体を流す金属管を備え、冷却媒体によって連続紙２の接触面側の温度を下げておく。空冷の場合は、連続紙２が接触する面の裏面側に強制的に空気を当てる給気手段を備えるものとする。
【００３０】
搬送部材冷却部７３の形状は、連続紙２と接触する面が連続紙２の搬送方向において円弧状を描く曲面形状になっている。これによって、搬送部材冷却部７３に置かれた状態になった連続紙２は、搬送部材冷却部７３に密着する。なお、連続紙２が接触する面は密着性が確保できれば、円弧状に限るものではなく、直線状またローラ状であってもよい。搬送部材冷却部７３に連続紙２が密着すると、輻射熱放出部７２による加熱によって温度が上昇している部分の熱が、搬送部材冷却部７３に伝わる。これによって、搬送部材冷却部７３に接触した部分およびその周囲部分の連続紙２の熱は下げられる。連続紙２の部分的な加熱による温度上昇を抑えることによって、画像形成面に生ずる黄変（こげ）を防止することができる。
【００３１】
次に、図４及び図５を用いて、乾燥部５０およびテンション付与部９０の動作について説明する。図４は、連続紙２の搬送動作を行っている状態を例示している。図５は、搬送部４０からの搬送停止信号の通知を受けたときの動作を例示している。
【００３２】
図４に示すように、連続紙２を搬送される状態にあるときは、第一駆動ローラ７１ａと第二駆動ローラ７１ｂは、上昇した位置で保持されている。これによって、連続紙２が輻射熱放出部７２と搬送部材冷却部７３との間を通過する状態になっている。このとき、連続紙２には搬送動作によって搬送方向に対する所定のテンションが付与されている。このテンションによって、テンション調整ローラ９２は上昇した位置で保持される。
【００３３】
図５は、連続紙２の搬送が緊急停止した状態を例示している。図５に示す様に、搬送部４０が緊急停止すると、乾燥部５０はそれを通知する搬送停止信号を受け取る。そして、搬送ローラ４１の動作はすでに停止しているので、第一駆動ローラ７１ａおよび第二駆動ローラ７１ｂの連れ回りも停止している。すなわち、連続紙２は、搬送停止信号を契機として搬送が停止された状態になる。このとき、第一駆動ローラ７１ａおよび第二駆動ローラ７１ｂはともに、下降位置に移動するように制御される。駆動ローラ７１が下降位置に移動すると、連続紙２に掛かっていたテンションは、搬送状態のときよりは弱まる。したがって、連続紙２に掛かるテンションを調整するテンション調整ローラ９２は、搬送時の位置（上部の位置）では保持されず、自重によって下降する。テンション調整ローラ９２が下降すると、連続紙２がテンション付与部９０の内部に下方に引っ張られる。このようなテンション調整ローラ９２の下降によって、駆動ローラ７１が下降位置に至った状態の連続紙２に所定のテンションが付与される。このテンションが掛かることで、連続紙２は搬送部材冷却部７３の上面側に密着する状態になる。
【００３４】
すでに説明したとおり、連続紙２の搬送が緊急停止したとき、輻射熱放出部７２における赤外線ヒータランプ７２１と風発生部７２２の動作はオフになるが、これらの動作がオフになっても連続紙２への加熱が即時的に停止した状態に至るわけではない。したがって、連続紙２の搬送が停止しても加熱は継続されて連続紙２の一部分の温度が上昇する。そうすると、連続する加熱が継続する当該箇所において黄変などの異常が生ずる。これを防止するために、乾燥部５０の搬送動作が緊急停止したときは、駆動ローラ７１が下降して輻射熱放出部７２からの距離を空けて搬送部材冷却部７３に接触する位置に移動する。このとき、テンション調整ローラ９２は下降するので、その所定の位置に相当するテンションを連続紙２に付与する状態になる。このテンションによって、加熱が続く連続紙２の該当箇所およびその周辺が搬送部材冷却部７３に密着する状態になる。これによって、加熱が継続する部分の熱を伝熱により効率的に排熱することができ、連続紙２に黄変などの異常が生ずることを防止することができる。なお、連続紙２は画像形成面の裏面側が搬送部材冷却部７３に密着するので、インク滴が乾いていない状態であっても、画像を汚すことなく、異常の発生を防止することができる。
【００３５】
次に、本発明に係る乾燥装置の実施形態である乾燥部５０の制御について説明する。図６は、乾燥部５０の動作を制御する制御部５００のハードウェア構成図である。制御部５００は、一般的なコンピュータと同様にハードウェアを備えている。すなわち、ＣＰＵ５１０と、ＲＡＭ５２０と、ＲＯＭ５３０と、Ｉ／Ｆ５４０と、を備え、これらがバス５５０によって接続されている。ＣＰＵ５１０は、ＲＯＭ５３０に記憶されている制御プログラムを読み出して、ＲＡＭ５２０の記憶領域を用いて動作させ、後述する機能ブロックを実現する。Ｉ／Ｆ５４０は、搬送部４０からの搬送停止信号を受信してＣＰＵ５１０に入力し、駆動ローラ７１や駆動モータ、搬送部材冷却部７３と接続し、これらに対する制御信号を送信するインターフェースである。
【００３６】
上記のハードウェア構成において、ＲＯＭ５３０に記憶されている制御プログラムが実行されることにより、乾燥部５０の動作を制御する制御部ブロックが構成される。図７は、実施形態に係る乾燥部５０の制御部５００の機能構成を示す機能ブロック図である。制御部５００は、搬送停止信号監視部５０１と、駆動ローラ位置調整部５０２と、を有する。
【００３７】
搬送停止信号監視部５０１は、搬送部４０からの搬送停止信号を監視する。搬送停止信号を搬送部４０から受け付けたときはその旨を、駆動ローラ位置調整部５０２に通知する。搬送停止信号監視部５０１は搬送手段である駆動ローラ７１による搬送動作の動作停止を検知する搬送検知手段を構成する。
【００３８】
駆動ローラ位置調整部５０２は、搬送停止信号監視部５０１からの通知に応じて、駆動ローラ７１の位置を変化させるように制御する。
【００３９】
次に、制御部５００において実行される乾燥部５０の制御の流れについて、図８を用いて説明する。搬送部４０からの搬送停止信号が搬送停止信号監視部５０１において検知されなければ（Ｓ８０１／ＮＯ）、駆動ローラ位置調整部５０２は駆動ローラ７１を上昇位置に移動させる（Ｓ８０２）。このとき、駆動ローラ７１の位置がすでに上昇位置であればその位置を保持させる。これによって、連続紙２が搬送部材冷却部７３から分離する位置にあるようにする。その後、乾燥部５０の動作が終了であれば（Ｓ８０３／ＹＥＳ）、当該処理は終了する。乾燥部５０の動作が終了でなければ、処理をＳ８０１に戻す（Ｓ８０３／ＮＯ）。その後、搬送部４０からの搬送停止信号が検知され続ければ（Ｓ８０１／ＹＥＳ）、駆動ローラ７１は下降位置で保持され続ける（Ｓ８０４）。
【００４０】
Ｓ８０１において、搬送部４０からの搬送停止信号が搬送停止信号監視部５０１において検知されれば（Ｓ８０１／ＹＥＳ）、駆動ローラ位置調整部５０２は駆動ローラ７１を下降位置に移動させる（Ｓ８０４）。このとき、駆動ローラ７１の位置がすでに下降位置であればその位置を保持させる。これによって、連続紙２が搬送部材冷却部７３に接触する位置にあるようにする。
【００４１】
Ｓ８０４において、駆動ローラ７１が下降位置で保持されると、連続紙２に係っていたテンションが弱まる。テンションが弱まることで、テンション調整ローラ９２は下降する。テンション調整ローラ９２が下降することで連続紙２には、テンション調整ローラ９２の位置に応じたテンションが掛かる状態になる。このテンションの作用により、連続紙２は搬送部材冷却部７３に密着した状態になる。以上のように、搬送が停止した連続紙２に対して、テンション調整ローラ９２の作用により連続紙２には搬送部材冷却部７３に密着するような力が加わり、熱を効率的に取り除くことができる。
【００４２】
次に、本発明係る乾燥装置の別の実施形態について説明する。ハードウェア構成は同様であるから説明を省略する。図９は、本実施形態に係る乾燥部５０の制御部５００ａの機能構成を示す機能ブロック図である。制御部５００ａは、搬送停止信号監視部５０１と、冷却部位置調整部５０３と、を有する。冷却部位置調整部５０３は、搬送停止信号監視部５０１からの通知に応じて、搬送部材冷却部７３ａの位置を変化させるように制御する。
【００４３】
ここで、図１０を用いて、本実施形態に係る非接触式加熱部７０ａの動作の様子について説明する。搬送部４０から搬送停止信号を受けたとき、制御部５００ａは、搬送部材冷却部７３ａの位置を、通常時（搬送時）よりも輻射熱放出部７２に近づけた位置に移動させる。搬送部４０から搬送停止信号を受け付けたときは、搬送ローラ４１の動作は停止するので、連続紙２に掛かっていたテンションは弱まる。そこで、搬送部材冷却部７３ａの位置を通常よりも上方に移動させて連続紙２を押し上げるようにする。連続紙２が搬送時よりも押し上げられると、テンション調整ローラ９２によって連続紙２には所定のテンションが加わった状態になるので、このテンションの作用によって、連続紙２が搬送部材冷却部７３ａに密着するようになる。したがって、連続紙２は、輻射熱放出部７２からの熱を受け続けても温度上昇を抑制することができ、黄変などの異常発生を防止することができる。
【００４４】
次に、制御部５００ａにおいて実行される乾燥部５０の制御の流れについて、図１１を用いて説明する。搬送部４０からの搬送停止信号が搬送停止信号監視部５０１において検知されなければ（Ｓ１１０１／ＮＯ）、冷却部位置調整部５０３が、搬送部材冷却部７３ａの位置を搬送時の位置に保持する（Ｓ１１０２）。その後、乾燥部５０の動作が終了であれば（Ｓ１１０３／ＹＥＳ）、当該処理は終了する。乾燥部５０の動作が終了でなければ、処理をＳ１１０１に戻す（Ｓ１１０３／ＮＯ）。その後、搬送部４０からの搬送停止信号が検知されるまでは（Ｓ１１０１／ＮＯ）、搬送部材冷却部７３は搬送時の通常位置で保持される（Ｓ１１０２）。
【００４５】
Ｓ１１０１において、搬送部４０からの搬送停止信号が搬送停止信号監視部５０１で検知されれば（Ｓ１１０１／ＹＥＳ）、冷却部位置調整部５０３が、搬送部材冷却部７３ａを上昇させて、搬送部材冷却部７３に連続紙２を密着させる（Ｓ１１０４）。
【００４６】
Ｓ１１０１において搬送停止信号が通知されている状態は、搬送ローラ４１が動作を停止して連続紙２へのテンションが弱まる状態である。連続紙２のテンションが弱くなると、テンション調整ローラ９２が搬送時よりも下方に移動する。このとき、搬送部材冷却部７３ａが上昇することでテンション調整ローラ９２には上方に持ち上げる力が作用するので、ある程度の位置までの下降となる、その位置に留まることで、連続紙２にテンションを付与する状態になる。このテンションの作用により、連続紙２は搬送部材冷却部７３ａに密着させられる。これによって、連続紙２への加えられる熱を効率的に取り除くことができる。
【００４７】
上記の各実施形態においては、搬送部材は連続紙２（連帳紙）を例に用いて説明しているが、当該実施形態における搬送部材は、これに限るものではなく、本発明に係る乾燥装置において搬送可能な部材であればよい。例えば、連続用紙、ロール紙、ウェブなどの連続体、長尺なシート材のような記録媒体（被印刷物）以外にも、壁紙、プリプレグ等の電子回路基板用シートのような被印刷物でもよい。
【００４８】
また、本実施形態に係るインクジェット記録装置１００は、搬送部材に対してインク等の液体で文字や図形等の画像を記録するものを例示したが、加飾・装飾などを目的として、パターン等の意味を持たない画像をインク等の液体で付与するものでもよい。
【００４９】
なお、インクジェット記録装置１００において使用され、搬送部材に付与される液体は、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどである。これらは例えば、インクジェット用インク、表面処理液、電子素子や発光素子の構成要素や電子回路レジストパターンの形成用液、３次元造形用材料液等の用途で用いることができる。
【００５０】
なお、本実施形態に係る液体吐出ヘッド３は、液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
【００５１】
なお、本願における画像形成は、印刷、記録、印字、印写等とも同じ意味である。
【符号の説明】
【００５２】
２      連続紙
３      液体吐出ヘッド
６      排出ローラ
３０    画像形成部
３１    赤外線ヒータ
４０    搬送部
４１    搬送ローラ
４２    搬送ガイド部材
５０    乾燥部
７０    非接触式加熱部
７１    駆動ローラ
７２    輻射熱放出部
７３    搬送部材冷却部
９０    テンション付与部
９１    アイドルローラ
９２    テンション調整ローラ
１００  インクジェット記録装置
５００  制御部
５０１  搬送停止信号監視部
５０２  駆動ローラ位置調整部
５０３  冷却部位置調整部
７２１  赤外線ヒータランプ
７２２  風発生部
【先行技術文献】
【特許文献】
【００５３】
【特許文献１】特開平５−８３７２号公報
【図１】
2019162767.tif 000003
【図２】
2019162767.tif 000004
【図３】
2019162767.tif 000005
【図４】
2019162767.tif 000006
【図５】
2019162767.tif 000007
【図６】
2019162767.tif 000008
【図７】
2019162767.tif 000009
【図８】
2019162767.tif 000010
【図９】
2019162767.tif 000011
【図１０】
2019162767.tif 000012
【図１１】
2019162767.tif 000013